(57)【特許請求の範囲】
【請求項１】
ブラインド（１０）の遮蔽材（１２）を操作するためのブラインドの操作装置において、
遮蔽材（１２）の下端に設けられる下部部材（１６、１７）の一部に複数の取付部（１
６ａ、１７ａ、１７ｂ）が形成され、該複数の取付部（１６ａ、１７ａ、１７ｂ）には操
作具（１８）の一部が選択的に取付可能となっており、該操作具（１８）は下部部材（１６、１７）に対して、２つ以上の異なる角度をなし得て、さらに操作具は、下部部材（１６、１７）を床面や窓枠等の固定面（１９）に取り付けられた保持具（２０）に拘束させる受具（１８）であり、遮蔽材（１２）の昇降方向に対する固定面（１９）の角度に対応して、操作具（１８）の下部部材（１６、１７）に対する角度を選択的に設定可能であることを特徴とするブラインドの操作装置。
【請求項２】
前記下部部材（１６、１７）は、遮蔽材（１２）の下端のほぼ幅方向に亘り設けられる下材（１６）と、該下材（１６）の少なくとも一部にその周面を覆うようにして固定されて前記複数の取付部（１７ａ）が形成されるホルダ（１７）と、からなることを特徴とする請求項１記載のブラインドの操作装置。
【請求項３】
前記複数の取付部は、下部部材（１６、１７）に形成された２つ以上の溝部（１６ａ、１７ａ）であり、操作具（１８）の一部が該２つ以上の溝部（１６ａ、１７ａ）のいずれかの溝部に選択的に取り付けられることによって、操作具（１８）が下部部材（１６、１７）に対して異なる角度をなし得ることを特徴とする請求項１または２記載のブラインドの操作装置。
【請求項４】
前記複数の取付部は、下部部材（１６、１７）に形成された周方向に伸びる溝部（１７ｂ）に設けられており、該溝部（１７ｂ）に沿って操作具（１８）が下部部材（１６、１７）の周方向に揺動されることによって、操作具（１８）が下部部材（１６、１７）に対して異なる角度をなし得ることを特徴とする請求項１または２記載のブラインドの操作装置。
【発明の詳細な説明】
【技術分野】
【０００１】
本発明は、ブラインドの遮蔽材を操作するためのブラインドの操作装置に関する。ここで、操作とは、遮蔽材に昇降動作、開閉動作または保持動作等の動作を行なわせるための操作を言うものとする。
【背景技術】
【０００２】
従来、ブラインドの遮蔽材に保持動作を行なわせるための操作装置として、特許文献１に記載された振れ止め装置が知られている。これによれば、ボトムレール両端に長手方向に突出する係止突起が設けられ、上方に突出し且つ係止突起を同突起の周方向に弾性的に挟持する一対の挟持片を備えた保持具を窓枠に固定している。そして、係止突起を一対の挟持片間にあてがって下方に押せば、ボトムレールが保持具に保持され、その状態からボトムレールを上方に引き上げればボトムレールの保持を解除することができるようになっている。
【０００３】
また、本出願人は、特許文献１を改良したものとして、特願２００５−３４３０４号において、ブラインドの保持動作を行なわせる操作装置を提案しており、この構成によれば、ブラインドの下部に設けられる下部支持部材に操作具に該当する受部が設けられ、窓枠等の固定面に保持具が固定されており、さらに、保持具は固定面に固定されるベースと、ベースに対して相対移動可能に設けられると共に係合可能な可動部材とから構成され、可動部材とベースとが係合されていない状態で、受部が保持具に係止可能となっており、可動部材とベースとが係合された状態で、該受部が保持具に係止解除不能に拘束されるようにしている。受部は、下部支持部材であるウエイトバーの両端部の下面に取り付けられて、ウエイトバーの下方方向に伸びており、受部には閉断面空間を構成するリング部が形成されており、遮蔽材の昇降方向に対して垂直な面となる窓枠等の固定面に固定された前記保持具に、受部のリング部が係止可能となっている。
【０００４】
【特許文献１】実公平６−４９８３３号公報
【発明の開示】
【発明が解決しようとする課題】
【０００５】
しかしながら、上記特許文献１及び特願２００５−３４３０４号の構成では、床面や窓枠等の固定面に固定される保持具の向きなどが、固定面の向きによって変更されると、適切に使用することができない、という問題がある。
【０００６】
例えば、特願２００５−３４３０４号の構成において、受部は下部支持部材から下方に突出しているために、下部支持部材の下方に空間が存在し且つ下部支持部材の下方に保持具が存在していないと、受部を使用することができない。例えば、保持具が遮蔽材の昇降方向に平行な面となる固定面に固定された場合に、受部のリング部を係止することができない、という問題がある。
【０００７】
本発明はかかる課題に鑑みなされたもので、ブラインドの周囲状況に対して柔軟に対応することができるブラインドの操作装置を提供することをその目的とする。
【課題を解決するための手段】
【０００８】
前述した目的を達成するために、請求項１記載の発明は、ブラインドの遮蔽材を操作するためのブラインドの操作装置において、遮蔽材の下端に設けられる下部部材の一部に複数の取付部が形成され、該複数の取付部には操作具の一部が選択的に取付可能となっており、操作具は下部部材に対して、２つ以上の異なる角度をなし得て、さらに操作具は、下部部材を床面や窓枠等の固定面に取り付けられた保持具に拘束させる受具であり、遮蔽材の昇降方向に対する固定面の角度に対応して、操作具の下部部材に対する角度を選択的に設定可能であることを特徴とする。
【０００９】
請求項２記載の発明は、請求項１記載の下部部材が、遮蔽材の下端のほぼ幅方向に亘り設けられる下材と、該下材の少なくとも一部にその周面を覆うようにして固定されて前記複数の取付部が形成されるホルダと、からなることを特徴とする。
【００１０】
請求項３記載の発明は、請求項１または２記載の複数の取付部は、下部部材に形成された２つ以上の溝部であり、操作具の一部が該２つ以上の溝部のいずれかの溝部に選択的に取り付けられることによって、操作具が下部部材に対して異なる角度をなし得ることを特徴とする。
【００１１】
請求項４記載の発明は、請求項１または２記載の複数の取付部は、下部部材に形成された周方向に伸びる溝部に設けられており、該溝部に沿って操作具が下部部材の周方向に揺動されることによって、操作具が下部部材に対して異なる角度をなし得ることを特徴とする。
【発明の効果】
【００１３】
本発明によれば、操作具は下部部材に対して２つ以上の異なる角度になし得るために、ブラインドの周囲状況に適合した位置に操作具を配置することができて、周囲状況に柔軟に対応することができる。また、操作具を下部部材の背面に取り付けた場合には、操作具が正面から見えず、意匠性を向上させることができる。また、操作具を下部部材の下方に伸びないように取り付けた場合には、操作具を持って下方にある固定面の際まで下部部材を接近させることも可能になる。
また、受具を用いて保持具に下部部材を拘束させることによって、ブラインドの遮蔽材の現状態を保持することができる。保持具がブラインドの昇降方向に対して平行な面に固定されていても、操作具である受具の下部部材に対する角度を調整することによって、適切に対応することができる。
【００１４】
請求項２記載の発明によれば、下部部材を、遮蔽材の下端のほぼ幅方向に亘り設けられる下材と、取付部が形成されるホルダとから構成することにより、取付部の形成を下部部材と関係なく行なうことができるようになる。
【００１５】
請求項３記載の発明によれば、２つ以上の溝部のいずれかに選択的に操作具の一部を取り付けることによって、操作具を下部部材に対して異なる角度にすることができるようになる。
【００１６】
請求項４記載の発明によれば、操作具を溝部の周方向に摺動させることによって、操作具を下部部材に対して異なる角度にすることができるようになる。
【発明を実施するための最良の形態】
【００１８】
以下、図面を用いて本発明の実施の形態を説明する。
図１は本発明の実施形態にかかるブラインドの操作装置を適用したブラインドを表す全体正面図である。
【００１９】
ブラインドとしては、横型ブラインド、プリーツスクリーン、ローマンシェードといった任意のブラインドとすることができるが、この例では、ロールスクリーンに適用した場合を表している。
【００２０】
ロールスクリーン１０においては、遮蔽材としてのスクリーン１２の上部が巻取パイプ１４に巻取り・巻解き可能に取り付けられており、スクリーン１２の下部には、スクリーン１２のほぼ幅方向に亘り下材１６が設けられている。また、下材１６の外周面には、その周面を覆うようにしてホルダ１７が取付けられている。ホルダ１７は、スクリーン１２の幅方向全体に亘る必要はなく、幅方向の一部にのみ設けられるのでもよい。また、図示したように複数のホルダ１７が設けられるとよい。下材１６とホルダ１７とによってスクリーン１２の下端に設けられる下部部材が構成される。図中、符号１６ｂは下材１６のエンドキャップであり、１６ｃ（図２参照）はエンドキャップの脚である。
【００２１】
ホルダ１７には、操作具である受具１８が着脱可能に取り付けられる。そのために、図２に示すようにホルダ１７の周面には、幅方向に伸びる複数の溝部１７ａ（取付部）が形成されている。この例では、溝部１７ａは、ホルダ１７の下面と背面の２箇所設けられているが、これに限るものではなく、別の異なる位置にも溝部を設けることができ、また、個数も２箇所以上とすることが可能である。溝部１７ａは、溝奥が幅広となっており、間口が幅狭となった断面形状をなしている。
【００２２】
受具１８には、前記溝部１７ａの断面形状に合致し、該溝部１７ａに側方からスライドさせることで取付可能となった係止部１８ａが形成されている。さらに、受具１８には、閉断面空間を構成するリング部１８ｂが形成されている。
【００２３】
この例では、操作具としての受具１８が、ロールスクリーン１０のスクリーン１２に保持動作を行わせるためのものとして機能しており、保持動作を行わせるために、床面や窓枠等の固定面１９には、前記各受具１８に対応して保持具２０が固定される。図２に示す例では、固定面１９はスクリーン１２の昇降方向に垂直な面で且つスクリーン１２の下方に在る配置となっている。これに対応して、受具１８の係止部１８ａは、ホルダ１７の下面に形成された溝部１７ａに取り付けられている。
【００２４】
各保持具２０は、図３に示したように、ベース２２と可動部材２４との２部品で構成され、ベース２２は、固定面１９に対して移動不能に止めねじ等によって固定される一方で可動部材２４は、ベース２２に対してスライド可能に且つベース２２に対して離脱しないように取り付けられている。
【００２５】
より詳細には、ベース２２の底部２２ａに切り抜きにより弾性片部２２ｂが形成されており、弾性片部２２ｂの先端には、上方に突出するストッパ部２２ｃが形成されている。また、ベース２２には、その上部に係止部２２ｄが形成されており、この係止部２２ｄは、受具１８のリング部１８ｂを貫通可能で、リング部１８ｂが係止部２２ｄに係止可能となっている。
【００２６】
一方の可動部材２４には、底部２２ａの側部と上部を覆うスライド部２４ａが形成され、スライド部２４ａには開口２４ｂが形成されている。また、可動部材２４には、スライド部２４ａの途中から上方に立設された係合面２４ｃが形成されている。
【００２７】
さらに、可動部材２４の上面または側面に、切り抜きにより弾性変位可能となった押しボタン部２４ｄが形成されており、押しボタン部２４ｄと押しボタン部２４ｄに隣接した部分との間には、隙間２４ｅが形成されている。
【００２８】
ベース２２のストッパ部２２ｃは、可動部材２４の隙間２４ｅと開口２４ｂの両方に係止可能であり、その両者の間の範囲で、可動部材２４のスライド部２４ａがベース２２の底部２２ａに対しスライド可能となっている。ベース２２のストッパ部２２ｃが可動部材２４の開口２４ｂに係止されているときには、スライド部２４ａの係合面２４ｃとベース２２の係止部２２ｄとは離反しており、両者の間に上方に開いた空間が形成されている(図３（ｂ）、図４（ｂ）)一方で、ストッパ部２２ｃが可動部材２４の隙間２４ｅに係止されているときには、可動部材２４とベース２２とは係合しており、スライド部２４ａの係合面２４ｃにベース２２の係止部２２ｄの先端が当接して、係止部２２ｄの下方に閉断面空間が形成される（図３（ａ）、図４（ａ）)。
【００２９】
以上のように構成されるブラインドの操作装置において、ロールスクリーン１０のスクリーン１２の下部を窓枠等の固定面１９に拘束して保持動作を行わせるようにする場合について説明する。
【００３０】
まず、予め保持具２０の可動部材２４をスライドさせて、係合面２４ｃと係止部２２ｄが離反された状態にしておき、受具１８のリング部１８ｂを係止部２２ｄに引っ掛けて係止させる。この係止操作には、特に大きな力または難しい操作を要しないために、両側にある受具１８を両側にある保持具２０の係止部２２ｄにほぼ同時に引っ掛けることができる。こうして、ロールスクリーン１０を傾けることなく、保持具２０に仮止めすることができる。
【００３１】
次いで、可動部材２４をベース２２に接近させるべくスライドさせると、ストッパ部２２ｃが開口２４ｂに係止され、可動部材２４とベース２２とが係合する。可動部材２４の係合面２４ｃと係止部２２ｄとが当接して、両者で閉じた空間を形成するために、受具１８のリング部１８ｂが係止部２２ｄから脱離不能となり、保持具２０に拘束される。このとき、巻取パイプ１４に内蔵されるストッパーを作動させることなく、ロールスクリーン１０の下部部材を保持具２０に拘束することができ、巻取パイプ１４に内蔵されるスプリングによる付勢力によって、スクリーン１２は巻取パイプ１４に巻取られる方向に引っ張られているため、スクリーン１２にテンションをかけた状態で保持することができる。
【００３２】
こうして、保持具１８によって、下部部材を保持具に拘束することで、ロールスクリーン１０のスクリーン１２を下ろした状態で保持することができる。ロールスクリーン１０のようなブラインドを収納部等の目隠しまたは間仕切りとしてスクリーン１２を常時下ろして使用する場合に、スクリーン１２が不用意に上昇したり、またはスクリーン１２が空調機の風等で煽られたりすることを防ぐことができる。
【００３３】
逆に、ロールスクリーン１０のスクリーン１２を上昇させたいときには、押しボタン部２４ｄを下方に押圧して、押しボタン部２４ｄの下端部で前記ベース２２の弾性片部２２ｂを下方に押し下げて、ストッパ部２２ｃの開口２４ｂからの係止を解除して、可動部材２４をベース２２から引出す。このときに、受具１８は係止部２２ｄに引っ掛かった状態を維持しているので、スクリーン１２が巻取パイプ１４に内蔵されるスプリングによる付勢力によって急に上昇することを防ぐことができる。すべての保持具２０の可動部材２４をベース２２から離反させた後、手で下材１６を持って、各受具１８を係止部２２ｄから外して、静かに手を放せば、スプリングによる付勢力によって、スクリーン１２は自動的に巻取パイプ１４に巻き取られて、上昇する。
【００３４】
ところで、固定面１９が図２に示すようなスクリーン１２の昇降方向に垂直な面で且つスクリーン１２の下方にある配置ではなく、固定面１９が図５に示すようなスクリーン１２の昇降方向に平行な面で且つスクリーン１２の後方にある配置である場合には、受具１８の係止部１８ａをホルダ１７の背面に形成された溝部１７ａに取り付ける。これによって、受具１８と保持具２０との相対位置関係が、図２の場合と同様になるために、図２と同様の操作によって受具１８を保持具２０に拘束させることができ、スクリーン１２の保持動作を行うことができる。図５の構成の場合、受具１８は正面から見えないために、意匠性も向上させることができる。
【００３５】
このように、受具１８を下材１６及びホルダ１７に対して異なる角度にすることができるので、固定面１９が異なる角度の状況においても、同じようにして、保持具２０に受具１８を拘束させることができる。
【００３６】
以上の実施形態では、下材１６とホルダ１７とから下部部材が構成されていたが、これに限るものではなく、図６に示すように、下材１６のみから下部部材が構成されており、下材１６自体に形成された複数の溝部１６ａ、１６ａ（取付部）に選択的に受具１８を取り付けることによって、受具１８を下部部材である下材１６に対して異なる角度にすることができる。
【００３７】
また、下部部材に複数の溝部を形成する代わりに、図７及び図８に示すように、下部部材であるホルダ１７に、周方向に伸びる溝部１７ｂが形成されたものでもよい。ホルダ１７には、溝部１７ｂに連通する入口１７ｄが形成されている。そして、周方向に伸びる溝部１７ｂには、周方向に所定間隔毎に凹部１７ｃが形成されており、複数の取付部を構成している。一方の受具１８の係止部１８ａには凹部１７ｃに嵌り合う凸部１８ｃが形成されている。受具１８を入口１７ｄから溝部１７ｂに挿入した後、周方向に沿って揺動して、適当な位置でその凸部１８ｃを凹部１７ｃに嵌め合わせることによって、受具１８を下部部材に対して所望の角度にすることができる。
【００３８】
また、以上の例は、操作具である受具１８がスクリーン１２の保持動作を行うものであったが、これに限るものではなく、図９に示すように、操作具がスクリーン１２の昇降動作を行なわせるためのグリップとして機能することも可能である。この場合には、操作具であるグリップ１８’を取付ける位置を下部部材の幅方向中央部に配置すると好ましい。グリップ１８’の係止部１８ａを下部部材の下面に形成された溝部１７ａに取り付けると、昇降操作が行ないやすいが、図９に示したように、グリップ１８’の係止部１８ａを下部部材の正面に形成された溝部１７ａに取り付けると、スクリーン１２の下端及び下材１６を、水平な固定面１９の際まで下降させる操作を行わせることができる。尚、この場合のようにグリップ１８’を正面側に配置する場合には、ホルダ１７の前後を逆にして下材１６に取り付けて、１つの溝部１７ａをブラインド１０の正面に配置することによって、図２及び図５と同じホルダ１７を用いることが可能である。
【図面の簡単な説明】
【００３９】
【図１】本発明の実施形態にかかるブラインドの操作装置を適用したブラインドを表す全体正面図である。
【図２】本発明のブラインド操作装置を表す図１の２−２線に沿って見た図であり、（ａ）は受具を保持具に拘束する途中図、（ｂ）は受具を保持具に拘束した図である。
【図３】保持具の斜視図であり、（ａ）は可動部材とベースが係合した状態、（ｂ）は可動部材がベースから離反した状態、（ｃ）は分解した状態を表す。
【図４】保持具の断面図であり、（ａ）は可動部材とベースが係合した状態、（ｂ）は可動部材がベースから離反した状態を表す。
【図５】操作具が下部部材に対して図２と異なる角度となった図２相当図である。
【図６】下部部材が下材のみからなる場合の図２相当図である。
【図７】本発明の他のブラインド操作装置を表す断面図である。
【図８】図７のホルダと操作具の斜視図である。
【図９】本発明のさらに他のブラインド操作装置を表す図である。
【符号の説明】
【００４０】
１０  ロールスクリーン（ブラインド）
１２  スクリーン（遮蔽材）
１６  下材（下部部材）
１６ａ  溝部（取付部）
１７  ホルダ（下部部材）
１７ａ、１７ｂ  溝部（取付部）
１８  受具（操作具）
１８’  グリップ（操作具）
１９  固定面
２０  保持具
【図１】
0004607019.tif 000002
【図２】
0004607019.tif 000003
【図３】
0004607019.tif 000004
【図４】
0004607019.tif 000005
【図５】
0004607019.tif 000006
【図６】
0004607019.tif 000007
【図７】
0004607019.tif 000008
【図８】
0004607019.tif 000009
【図９】
0004607019.tif 000010